(57)【要約】      （修正有）【課題】株元側のパッカに設ける補助パッカをバネ部材となして、パッカに先行して仕分け掻き込みを行う際に、パッカ部に対する過大負荷の発生を抑制したスムーズな補助掻き込み作用を行うことができる排稈処理装置を提供する。【解決手段】排稈搬送装置２からノッタ４に通ずる排稈通路１７に排出される排稈を、パッカ２２と、該パッカ２２に先端部を株元側及び排稈搬送方向上流側に向けて突出させて取付けられる補助パッカ１２により結束部４ｂに掻き込み送りをして、結束部４ｂによって結束し排稈束を排出する排稈処理装置Ａであって、前記補助パッカ１２を、線条又は帯板状のバネ部材となし、その基部をパッカ２２に直接的に取付けると共に、補助パッカ先端部をパッカ２２のパッカ移動軌跡Ｐの作用位置に対し株元側寄りに変位させて設ける。【選択図】図１
2013192499.tif 000002
【特許請求の範囲】
【請求項１】
排稈搬送装置（２）からノッタ(４)に通ずる排稈通路（１７）に排出される排稈を、パッカ（２２）と、該パッカ（２２）に先端部を株元側及び排稈搬送方向上流側に向けて突出させて取付けられる補助パッカ（１２）により結束部（４ｂ）に掻き込み送りをして、結束部（４ｂ）によって結束し排稈束を排出する排稈処理装置（Ａ）において、
前記補助パッカ（１２）を、線条又は帯板状のバネ部材となし、その基部をパッカ（２２）に直接的に取付けると共に、補助パッカ先端部をパッカ（２２）のパッカ移動軌跡(Ｐ)の作用位置に対し株元側寄りに変位させて設けることを特徴とする排稈処理装置。
【請求項２】
補助パッカ（１２）を線条のバネ部材で形成すると共に、バネ部材の取付け基部と先端部との間で、バネ部材を上向き方向につる巻き状に屈曲形成されるループ部（１２ａ）を設けた請求項１記載の排稈処理装置。
【請求項３】
ノッタ（４）の前部でパッカ（２２）の下方に、排稈を細断部に受け入れるカッタ作業姿勢と排稈をノッタ（４）側に案内をするノッタ作業姿勢とに、細断部の後方を支点として開閉回動する切断切換部材（１０）を備えるカッタ（３）を設置するに、補助パッカ（１２）の補助パッカ移動軌跡（Ｈ）に対し、カッタ作業姿勢にある切断切換部材（１０）が交差するように近接させて設けると共に、切断切換部材（１０）に交差する補助パッカ（１２）の先端の通過を許容させるスリット（１４ａ）を形成した可撓板（１４）からなる融通部（１３）を設けた請求項１又は２記載の排稈処理装置。
【発明の詳細な説明】
【技術分野】
【０００１】
本発明は、脱穀機等に設置される排稈処理装置に関する。
【背景技術】
【０００２】
一般に、脱穀済みの排稈を結束して排出する排稈処理装置としてのノッタは、排稈搬送装置からノッタに通ずる排稈通路（排稈集束空間）において、排稈を株元側パッカと穂先側パッカとにより結束部に掻き込み送りをしながら、結束部によって結束した排稈束を機外に排出するようにしている。従来、このようなノッタは、株元側のパッカに、先端部を該パッカの株元側寄り及び排稈搬送方向上流側に向けて変位させた位置で、排稈をパッカに先行して予め補助的に掻き込み送りをする補助パッカを設けた構成にすることが既に公知である（例えば特許文献１）。
【先行技術文献】
【特許文献】
【０００３】
【特許文献１】特許第３２８１７８５号公報
【発明の概要】
【発明が解決しようとする課題】
【０００４】
上記特許文献１で示されるノッタは、株元側のパッカに対し株元側（左側方）に延長させて設けた棒状アームの先端に補助パッカを取付けた構造であるため、排稈を掻き込み送りをする際に、補助パッカを取付けるアーム等の取付け部材に排稈が絡みつく等の欠点がある。また株元側パッカの側面からアームを介して設けられる補助パッカは、重量のある剛体構造であるため構造も複雑化しコスト高になると共に、大量の排稈が供給される場合等に、補助パッカには排稈抵抗による過大な負荷を伴い易く、アームが変形したりパッカ部に無理をさせてスムーズな掻き込み作用を阻害する等の問題がある。
【課題を解決するための手段】
【０００５】
上記課題を解決するために本発明は、第１に、排稈搬送装置２からノッタ４に通ずる排稈通路１７に排出される排稈を、パッカ２２と、該パッカ２２に先端部を株元側及び排稈搬送方向上流側に向けて突出させて取付けられる補助パッカ１２により結束部４ｂに掻き込み送りをして、結束部４ｂによって結束し排稈束を排出する排稈処理装置Ａにおいて、
前記補助パッカ１２を、線条又は帯板状のバネ部材となし、その基部をパッカ２２に直接的に取付けると共に、補助パッカ先端部をパッカ２２のパッカ移動軌跡Ｐの作用位置に対し株元側寄りに変位させて設けることを特徴としている。
第２に、補助パッカ１２を線条のバネ部材で形成すると共に、バネ部材の取付け基部と先端部との間で、バネ部材を上向き方向につる巻き状に屈曲形成されるループ部１２ａを設けたことを特徴としている。
第３に、ノッタ４の前部でパッカ２２の下方に、排稈を細断部に受け入れるカッタ作業姿勢と排稈をノッタ４側に案内をするノッタ作業姿勢とに、細断部の後方を支点として開閉回動する切断切換部材１０を備えるカッタ３を設置するに、補助パッカ１２の補助パッカ移動軌跡Ｈに対し、カッタ作業姿勢にある切断切換部材１０が交差するように近接させて設けると共に、切断切換部材１０に交差する補助パッカ１２の先端の通過を許容させるスリット１４ａを形成した可撓板１４からなる融通部１３を設けたことを特徴としている。
【発明の効果】
【０００６】
請求項１の発明によれば、補助パッカを線条又は帯板状のバネ部材となし、その基部をパッカに直接的に取付けると共に、補助パッカ先端部をパッカのパッカ移動軌跡の作用位置に対し株元側寄りに変位させて設けることにより、パッカに先行して仕分け掻き込みを行う際に、補助パッカは排稈を仕分けると共に、掻き込み排稈の抵抗に応じて後退する方向に弾力的に変形しながら掻き込みをするので、パッカ部に対する過大負荷の発生を抑制しスムーズな補助掻き込み作用を行う。また補助パッカは、バネ部材の基部をパッカに直接的に取付けて先端部をパッカ移動軌跡の株元側寄りに変位させて延長しているので、従来のものように、補助パッカを取付けるアーム等の取付け部材を不要とし、排稈の絡みつきを防止した簡潔で軽量な補助パッカを有するパッカ部を構成することができる。
請求項２の発明によれば、補助パッカを線条のバネ部材で形成すると共に、取付け基部と先端部との間で、線条のバネ部材に上向き方向につる巻き状に形成されるループ部を設けたことにより、補助パッカは、排稈抵抗により先端部に過大な掻込負荷が生じた際に、ループ部を集中的に撓ませて先端部の後退方向への変形を容易にさせてパッカ部に対する過大負荷を逃がすことができる。またループ部を有する補助パッカは、バネ定数を上げても過大な掻込負荷をループ部によって緩衝させると共に、先端部の安易な変形を抑制して排稈の掻き込みを確実にすると共に、上向きに形成されるループ部は排稈が絡みつく等の憂いを生じない等の利点がある。
請求項３の発明によれば、ノッタの前部でパッカの下方に、排稈を細断部に受け入れるカッタ作業姿勢と排稈をノッタ側に案内をするノッタ作業姿勢とに、細断部を後方を支点として開閉回動自在とする切断切換部材を備えるカッタを設置するに、補助パッカの補助パッカ移動軌跡に対し、カッタ作業姿勢にある切断切換部材を交差するように近接させて設置すると共に、切断切換部材に交差する補助パッカの先端の通過を許容するスリットを形成した可撓板からなる融通部を設けたことにより、排稈搬送装置の下方でパッカ部とカッタとを可及的に近接させて、装置のコンパクト化を図ることを可能にすることができる。また切断切換部材が補助パッカ移動軌跡に臨む状態にあるとき、交差する補助パッカの先端はスリット内を可撓板を撓ませながらスムーズに通過すると共に、切断切換部材のカッタ作業姿勢において、融通部に排稈を引っ掛けることなく排稈をノッタ側へスムーズに移動させることができる。
【図面の簡単な説明】
【０００７】
【図１】本発明の排稈処理装置のノッタ作業状態を示す側面図である。
【図２】排稈処理装置の平面図である。
【図３】ノッタの補助パッカとカッタの切断切換部材とが交差する状態を示す側面図である。
【図４】排稈処理装置のカッタ作業状態を示す側面図である。
【図５】融通部の構造を示す斜視図である。
【図６】ノッタの定位置停止クラッチの構成を示す分解斜視図である。
【発明を実施するための形態】
【０００８】
本発明の実施の形態を図面に基づいて説明する。図面において符号Ａはコンバイン等の機体フレームに搭載される脱穀機1に対し、脱穀フレーム１ａの後部に着脱自在に装着される排稈処理装置である。この排稈処理装置Ａは、脱穀フレーム１ａの後部上方に配設されて脱穀機1のフィードチェンに連なる排稈搬送装置２の搬送終端部において、横向き姿勢で排出される排稈を受け入れて細断するカッタ（排稈切断装置）３と、該カッタ３のカッタフレーム３ａの後部に装着されて、横向き姿勢で供給される排稈を結束するノッタ（排稈結束装置）４等からなる。
【０００９】
以下各部の詳細な構成について説明する。先ず、排稈搬送装置２は図１,図２に示すように、平面視で排稈の株元側から穂先側に向けて傾斜するように斜設されるチェンフレーム２ａに搬送チェン５を巻き掛けており、該搬送チェン５には排稈搬送方向の上流側搬送面に所定長さの挟持レール６を対設している。そして、挟持レール６の終端側（搬送方向下流側）には、公知の構造によって排稈の挟持搬送終了点（排出位置）を調節する調節挟持レール６ａを対設している。図示例の調節挟持レール６ａは、図４で示す搬送距離を最短とするカッタ供給位置から、後方に向けて移動調節自在としており、図１で示すように、排稈をノッタ４側に向けて排出供給するノッタ供給位置を自在に切換えることができる。尚、調節挟持レール６ａの前後移動調節は、在来のものと同様にコンバインの操縦部側に設置される図示しない操作レバーによって、レバー操作することができるように構成されている。
【００１０】
上記ノッタ供給位置において調節挟持レール６ａは、チェン搬送面に沿わせ後方に向けて移動調節すると、ノッタ４のノッタフレーム４ａの内央部に構成される、図示しないビル及びビルホルダ並びにニードルやドア等からなる結束部４ｂに対し、排稈を順次穂先側寄りに向けて搬送供給するので、結束部４bによって排稈の株元側寄りを順次的に結束させることができる。また排稈搬送装置２は、チェンフレーム２ａの株元側面（左側面）において、排出される排稈が詰まりを生じた場合に、これを検出して警報させる詰まり検出センサ７を設けている。またチェンフレーム２ａの株元側面には、株側ガイド２ｂの基部を取付けており、その自由端側を上記検出センサ７側に向けて延長させている。これにより株側ガイド２ｂは、挟持搬送される排稈の株側を下方に向けて規制案内し、且つ挟持搬送終端において排稈を整然と排出させるように作用する。
【００１１】
カッタ３は、平面視で方形状の箱枠状をなすカッタフレーム３ａ内に、カッタ回転軸９,９ａを左右の側壁に軸支することにより、対をなす切断刃と受歯を互いに内向き回転させて排稈を細断する切断部を形成している。そして、カッタフレーム３ａは、上記切断部の上方開口部を開閉させる平板状の切断切換部材（カッタ蓋カバー）１０を、箱枠の後壁側に横設される支軸１１を介して上下方向に回動自在に取付けている。この切断切換部材１０の切換操作は、操縦部側に設置される前記操作レバーを操作することにより、前記支軸１１を介して開閉切換回動させ、図１で示す切断部を閉じたノッタ作業姿勢（非切断状態）と、図４で示すカッタ作業姿勢（切断状態）に切換えることができる。
【００１２】
また切断切換部材１０は、その板面の先端部に、後述するノッタ４の補助パッカ１２の先端が描く補助パッカ移動軌跡Ｈと対向して交差する位置に凹溝状に切欠した切欠部１０ａを形成し、該切欠部１０ａに融通部１３を構成することにより、補助パッカ１２を切断切換部材１０に強く接当させることなく通過移動を許容するようにしている。即ち、この融通部１３は図５で示すように、切断切換部材１０の切欠部１０ａを、例えば可撓性を有するビニール板又はゴム板等の可撓性部材の中途部にスリット１４ａを形成した可撓板１４によって覆った状態で、該可撓板１４を平面視コ字状をなす取付板１５によって挟持した状態で、複数のボルト１６によって切断切換部材１０に３辺を固定する構成にしている。
【００１３】
これにより図３に示すように、切断切換部材１０が補助パッカ移動軌跡Ｈに臨む状態にあるとき、補助パッカ１２の先端がスリット１４ａ内を可撓板１４を撓ませながらスムーズに通過させる。また切断切換部材１０がカッタ３の細断部を閉じた状態のノッタ作業姿勢にあるとき、融通部１３は切欠部１０ａが可撓板１４によって塞がれているため、切断切換部材１０上を通過する排稈が切欠部１０ａに引っ掛かったり、切れワラやゴミが停止状態の細断部に落ち込んで細断時に詰まりを生じさせる等の憂いのない排稈処理装置Ａにすることができる。また実施形態の補助パッカ１２は、補助パッカ移動軌跡Ｈをパッカ移動軌跡Ｐに対しラップさせることなく、搬送方向上手側に離れるようにしているので、上方回動される切断切換部材１０との交差量を少なくして、切欠部１０ａの切欠長さを短くすることができる等の特徴を有している。
【００１４】
ノッタ４は、背面視で門型をなすノッタフレーム４ａの上下中間位置に、結束部４ｂに通ずる排稈通路１７を前後方向に向けて形成している。この排稈通路１７は、前部側の下部に排稈搬送装置２から排出される排稈を受け入れて結束部４ｂに案内する板状の排稈案内部材１９を設けている。排稈案内部材１９は、後部を結束部４ｂの前部を支点として前方を略水平姿勢から上方に向けて回動自在に取付けて、前部を切断切換部材１０の上方に載せ掛けた状態にしている。これにより排稈案内部材１９は、切断切換部材１０のノッタ作業姿勢において略水平姿勢となり、切断切換部材１０のカッタ作業姿勢の変更に基づき持ち上げられて可逆的に上方回動をすることができる。
【００１５】
また排稈通路１７の前部側の上方には、排稈搬送装置２から排出される排稈を結束部４ｂに向けて順次掻き込み送りをするパッカ部２０を設けている。このパッカ部２０は、株元側のパッカ２２と穂先側のパッカ２３とを排稈搬送装置２の左右に一連に設けており、ノッタ入力軸２１から回転伝動されるパッカ入力軸２１ａが有する駆動リンク機構を介し、パッカ２２の先端がパッカ移動軌跡Ｐを描くように一連に駆動される。またパッカ２２とパッカ２３の掻き込み速度は排稈搬送装置２の搬送速度よりやや大きくしている。上記株元側のパッカ２２は、そのパッカ板幅を有する上部面に線状又は帯板状のバネ部材からなる補助パッカ１２の基部をボルト２５によって着脱自在に取付けている。
【００１６】
実施形態における補助パッカ１２は、円形断面の針金状バネ部材（鋼線）を用いており、側面視において下向きに湾曲させた形状となし、先端部がパッカ２２の先端より上方で且つ前方に位置させることにより、前記パッカ移動軌跡Ｐより大きい掻き込み軌跡の補助パッカ移動軌跡Ｈを描くようにしている。これによりノッタ４は、排稈搬送装置２から排出されて排稈案内部材１９に至る排稈を、パッカ２２とパッカ２３によって株元側と穂先側とを略同時的に結束部４ｂに向けて掻き込み、所定の大きさに纏められた排稈束を結束部４bによって結束させ、結束された結節束を後部の排稈通路１７からスイーパによって機外に排出する。
【００１７】
このようなノッタ作業において、前記パッカ移動軌跡Ｐに対し前方で補助パッカ移動軌跡Ｈを描く補助パッカ１２は、パッカ２２が掻き込みをした排稈の次位に位置する掻き込み上流側の排稈を、同時的に補助掻き込み送りをする。これにより補助パッカ１２は連続的に排出される排稈の株元側を予め仕分ける、先行仕分け掻き込みを行うように作用するので、次工程で掻き込むパッカ２２による次位の仕分け排稈の掻き込みを、排稈に乱れを生じさせることなく容易且つスムーズに行わせることができる。
【００１８】
そして、上記のような先行仕分け掻き込みを行う際に、バネ部材からなる補助パッカ１２はその弾力性により排稈を無理なく仕分けると共に、仕分けて掻き込んだ掻き込み排稈の抵抗に応じて後退する方向に変形して退避しながら掻き込みをするので、パッカ部２０に対する過大負荷の発生を抑制しつつ、スムーズな補助掻き込み作用を行う。また補助パッカ１２は、バネ部材からなる補助パッカ１２の基部をパッカ２２の上部面にボルト２５によって着脱自在に取付け、且つ先端部をパッカ移動軌跡Ｐから平面視において株元側に変位（離間）させているので、補助パッカ１２の取付構造の簡潔化と軽量化を図ることができる。また補助パッカ１２の基部をパッカ２２の上部を利用して直接的に取付けるため、基部が板幅から大きくはみ出すことがないので、従来のもののように、補助パッカ１２を取付けるアーム等の取付け部材に排稈が絡みつく等の欠点を解消することができる。
【００１９】
さらに、補助パッカ１２は図示するように、線条のバネ部材の中途部で基部寄りにおいて、上方に向けて屈曲させて形成されるつる巻き状（コイル状）のループ部１２ａを設けることが望ましいものである。即ち、この場合に補助パッカ１２は、排稈抵抗による先端部の過大な掻込負荷に応じ、ループ部１２ａの集中的な撓みを介して後退方向への変形を容易にさせることができる。従って、ループ部１２ａを有する補助パッカ１２は、バネ定数を上げても過大な掻込負荷をループ部１２ａによって緩衝させると共に、先端部の安易な変形を抑制した排稈の掻き込みを確実にする。またループ部１２ａは補助パッカ１２の中途部で上向きに形成しているため、ループ部１２ａへの排稈の絡みつき等の憂いを生じさせない等の特徴がある。
【００２０】
また図１,図６に示すようにノッタ４は、結束部４ｂ及びスイーパ並びにパッカ部２０等を駆動する前記ノッタ入力軸２１の駆動系に、パッカ２２とパッカ２３をパッカ移動軌跡Ｐの上部側で停止させると共に、結束部４ｂ等の作動を停止させる定位置停止クラッチ２９を設けている。即ち、ノッタ入力軸２１の駆動系は、脱穀機１側からベルト伝動機構を介して駆動されるカッタ回転軸９から、チェン伝動される入力スプロケット２６とノッタ入力軸２１との間に、図６で示す公知の構成からなる定位置停止クラッチ２９を介装している。この定位置停止クラッチ２９は、前記操作レバーの切り操作によって押し引き作動される作動リンク３０が、ノッタ入力軸２１に固設されるクラッチ爪３１を、入力スプロケット２６のボス部２６ａに形成されるクラッチ溝に対し、係脱自在に係合させるため、入力スプロケット２６からノッタ入力軸２１への伝動を入り切りする。
【００２１】
このとき操作レバーによって、定位置停止クラッチ２９の切り操作と共に開動される切断切換部材１０は、図３で示すように、停止回転しようとするタイミングの補助パッカ移動軌跡Ｈ内に、融通部１３を臨ませて上方回動させる状態になるが、融通部１３は可撓板１４にスリット１４ａを形成しているので、補助パッカ１２の先端は可撓板１４を撓ませながらスリット１４ａ内を通過し、パッカ移動軌跡Ｐの戻り軌跡工程を経て図１で示す上死点で停止する。尚、このように停止する補助パッカ１２は、排稈搬送装置２のより上方側位置に停止し待機するので、排稈をカッタ３に搬送する際に株元側との接触を生じない。
【００２２】
従って、上記のように操作レバーによって、ノッタ４の定位置停止クラッチ２９の伝動入り切りと、カッタ３の切断切換部材１０の開閉を同時的に行う操作構造を備える排稈処理装置Ａは、排稈搬送装置２の下方でパッカ部２０とカッタ３とを可及的に近接させることができ、装置をコンパクトに纏めて小型化を図ることができる。また排稈搬送装置２にカッタ３の切断部の開口部を近接させることもできるので、排稈の切断部への供給をスムーズにすることができる等の特徴もある。
【００２３】
次に、以上のように構成される排稈処理装置Ａの使用態様及び作用等について説明する。先ずノッタ４によって排稈を結束して排出するノッタ作業について説明する。この際には、フィードチェンから脱穀済みの排稈を継送した排稈搬送装置２は、操作レバーの操作により調節挟持レール６ａを、図１の実線位置から後方に移動させ点線で示す所望位置に位置決めしたのち、ノッタ４を駆動し排稈搬送装置２を介して排稈の搬送が開始される。これにより排稈は、挟持搬送が解除され下方に落下し切断切換部材１０と排稈案内部材１９に受けられた状態で、パッカ２２,２３が描くパッカ移動軌跡Ｐ及び補助パッカ１２が描く補助パッカ移動軌跡Ｈによって、ノッタ４内に送られ結束部４ｂで結束され結節束となって機外に放出される。
【００２４】
このようなノッタ作業において、ノッタ４は排稈通路１７に臨ませる株元側のパッカ２２に株側及び搬送方向上流側に向け変位させて設けられる補助パッカ１２を、下向きに湾曲させた線条のバネ部材で形成し、その基部をパッカ２２の基部側上部に取付けた状態で、先端部を排稈搬送装置２から株元側に変位させて設けていることにより、パッカ２２に先行し仕分け掻き込みを行う際に、補助パッカ１２はその弾力性により排稈を無理なく仕分けると共に、掻き込み排稈の抵抗に応じて後退する方向に変形しながら掻き込みをするので、パッカ部２０に対する過大負荷の発生を抑制しスムーズな補助掻き込み作用を行う。
【００２５】
また補助パッカ１２は、バネ部材の基部をパッカ２２の上部に直接的に取付けて先端部を排稈搬送装置２から株元側に変位させて延長しているので、従来のものように、補助パッカ１２を取付けるアーム等の取付け部材を不要とし、排稈の絡みつきを防止した簡潔で軽量な補助パッカ１２を有するパッカ部２０を構成することができる。さらに、補助パッカ１２は線条バネ部材で形成し、取付け基部と先端部との間で、線条バネ部材に上向き方向につる巻き状に形成されるループ部１２ａを設けているため、補助パッカ１２は、多量な排稈や濡れて乱れた排稈が供給される場合等に、排稈抵抗により先端部に過大な掻込負荷が生じたときでも、ループ部１２ａを集中的に撓ませて先端部の後退方向への変形を容易にさせてパッカ部２０に対する過大負荷を逃がすことができる。
【００２６】
上記ノッタ作業状態において、カッタ３の細断部を閉じた状態のノッタ作業姿勢にある切断切換部材１０は、切欠部１０ａをスリット１４ａを有する可撓板１４によって塞いだ融通部１３を有しているため、切断切換部材１０上を通過する排稈を切欠部１０ａに引っ掛けたりする等の憂いのない排稈処理装置Ａにすることができる。また操作レバーを操作に基づき切断切換部材１０をノッタ作業姿勢からカッタ作業姿勢に切り換えると共にノッタ４を停止する際に、切断切換部材１０が補助パッカ移動軌跡Ｈに臨む状態にあるとき、融通部１３は補助パッカ１２の先端をスリット１４ａ内を可撓板１４を撓ませながらスムーズに通過させる等の特徴がある。
【符号の説明】
【００２７】
１  脱穀機
２  排稈搬送装置
３  カッタ（排稈切断装置）
４  ノッタ（排稈結束装置）
４ｂ  結束部
１０  切断切換部材
１２  補助パッカ
１２ａ  ループ部
１３  融通部
１４  可撓板
１４ａ  スリット
１７  排稈通路
２２  パッカ
Ａ  排稈処理装置
Ｐ  パッカ移動軌跡
Ｈ  補助パッカ移動軌跡
【図１】
2013192499.tif 000003
【図２】
2013192499.tif 000004
【図３】
2013192499.tif 000005
【図４】
2013192499.tif 000006
【図５】
2013192499.tif 000007
【図６】
2013192499.tif 000008